(57)【要約】      （修正有）【課題】記憶ユニット及び要求処理ユニットを備える、音波情報及びブルートゥース情報間の変換を行うための情報変換装置を提供する。【解決手段】記憶ユニット３００は、第１の無線伝送プロトコルに適合する第１の無線伝送情報を記憶する。要求処理ユニット３１０は、記憶ユニット３００に電気的に接続され、要求端末から受信したコマンドに従って記憶ユニット３００から第１の無線伝送情報を読み出し、読み出した第１の無線伝送情報を第２の無線伝送プロトコルに適合する第２の無線伝送情報に変換して、第２の無線伝送情報を要求端末に出力する。【選択図】図３
0003198599.tif 000002
【実用新案登録請求の範囲】
【請求項１】
外部の要求端末から受信したコマンドに従って操作を行う、音波情報及びブルートゥース情報間の変換を行うための情報変換装置において、
第１の無線伝送プロトコルが要求するフォーマットに適合するフォーマットを有する第１の無線伝送情報を記憶する記憶ユニットと、
前記記憶ユニットに電気的に接続され、前記要求端末から受信したコマンドに従って前記記憶ユニットから前記第１の無線伝送情報を読み出し、読み出した前記第１の無線伝送情報を第２の無線伝送情報に変換して、前記第２の無線伝送情報を前記要求端末に出力する要求処理ユニットと、を備え、
前記第２の無線伝送情報のフォーマットが、第２の無線伝送プロトコルが要求するフォーマットに適合しており、前記第１の無線伝送プロトコルと前記第２の無線伝送プロトコルそれぞれが、低消費電力ブルートゥース伝送プロトコル及び音波埋め込み情報伝送プロトコルのいずれか一方であり、前記第１の無線伝送プロトコルと前記第２の無線伝送プロトコルとは異なっている、情報変換装置。
【請求項２】
前記要求処理ユニットが更に、前記第２の無線伝送情報を前記記憶ユニットに記憶することを特徴とする請求項１に記載の情報変換装置。
【請求項３】
前記記憶ユニットは、更に供給用データを記憶するように構成され、前記要求処理ユニットは、それが生成する前記第２の無線伝送情報が用いられると、前記供給用データが操作の対象として利用可能となるような前記第２の無線伝送情報を生成するように構成されることを特徴とする請求項１に記載の情報変換装置。
【請求項４】
前記第１の無線伝送情報が制限要件を含み、前記制限要件により前記第１の無線伝送情報が前記制限要件に対応する環境のみで使用可能であることを特徴とする請求項１に記載の情報変換装置。
【請求項５】
前記第２の無線伝送情報が制限要件を含み、前記制限要件により、前記第２の無線伝送情報が前記制限要件に対応する環境のみで使用可能となることを特徴とする請求項１に記載の情報変換装置。
【請求項６】
前記要求処理ユニットは、前記要求端末から受信したコマンドが所定要求に適合することを確認した後、前記要求端末から受信したコマンドに従って、前記記憶ユニットから前記第１の無線伝送情報を読み出し、読み出した前記第１の無線伝送情報を第２の無線伝送情報に変換して前記第２の無線伝送情報を前記要求端末に出力することを特徴とする請求項１に記載の情報変換装置。
【考案の詳細な説明】
【技術分野】
【０００１】
本考案は無線情報変換装置に関し、特に音波情報及びブルートゥース情報間の変換を行うための情報変換装置に関する。
【背景技術】
【０００２】
近年、技術の進歩のおかげで、通信業界の急速な発展に伴い市場競争がますます熾烈となり、特に無線通信関連がより厳しくなっており、通信製品の品質に対する要求が高まるだけでなく、消費者の需要量もますます増えてきている。無線通信技術の発展に伴い、電子デバイス間で、それぞれの無線通信ユニットを介して通信し、互いにデータ又は情報の伝送を行うことが可能となった。例えば、携帯電話がそれ自身の無線通信ユニットで印刷装置の無線通信ユニットと無線通信を行い、両者間に通信チャネルが確立された後、携帯電話が印刷データを無線で印刷装置に送信して印刷することができる。
【０００３】
ブルートゥース通信技術は、様々な電子デバイス間で広く使用されている通信プロトコルの一種である。しかしながら、従来の電子デバイス間でブルートゥース（登録商標）技術によって通信する場合、事前に、ユーザーが手動で複数の接続操作を行う必要があり、操作が正常に完了しないと通信を開始することができない。したがって、ユーザーに煩雑さを与えてしまうことになる。特に、ブルートゥースの接続には、表示コードからなる電子デバイスのリスト中から接続すべき電子デバイスを正しく選択しなければならず、間違って選択した場合、データ漏洩や個人情報の暴露が起こる恐れがある。例えば、携帯電話の接続すべき電子デバイスが印刷装置である場合、一般的にオフィスでは複数の印刷装置が存在するので、ユーザーは、複数の表示コードから接続すべき印刷装置を選択することがかなり厄介であり、携帯電話が印刷装置に間違って接続されると、印刷物が見つからず、機密データの漏洩が発生する恐れがある。
【０００４】
上記の様々な不都合のために、市場では別の無線通信技術が開発された。低消費電力ブルートゥース技術（Ｂｌｕｅｔｏｏｔｈ（登録商標）  Ｌｏｗ  Ｅｎｅｒｇｙ，ＢＬＥ）はこれらの開発された別の無線通信技術の一つであり、ユーザーの位置情報を提供することができ、面倒な事前接続操作が不要となる。他の開発された別の無線通信技術としては、音声を情報伝送媒体とする無線通信技術が挙げられる。この音声を情報伝送媒体とする無線通信技術で使用されるプロトコルは、本明細書では音波埋め込み情報伝送プロトコルと呼ばれ、伝送すべき情報に対して特別な符号化処理を行った後、人間に聞こえない周波数帯域に埋め込み、符号化された情報の音声をスピーカーにより発信する。スマートデバイスは、マイクによってこれら符号化された情報の音声を捕捉した後、その中にインストールされたアプリケーションプログラムにより解析して関連する情報を取得する。
【考案の概要】
【考案が解決しようとする課題】
【０００５】
しかしながら、前述の様々な無線通信技術は、伝送する情報コンテンツに対して使用するコーディングフォーマットが異なるので、異なる無線通信技術を使用する際にフォーマート間の変換がデバイス製造者においては対処が難しい問題となる。
【課題を解決するための手段】
【０００６】
本考案は、音波情報及びブルートゥース情報間の変換を行うための情報変換装置を提供し、ユーザーは所望に応じて、低消費電力ブルートゥース伝送プロトコル又は音波埋め込み情報伝送プロトコルに適合する情報を、この情報変換装置によりそれぞれ音波埋め込み情報伝送プロトコル又は低消費電力ブルートゥース伝送プロトコルに適合する情報に直接変換することが可能である。これによって、本考案による音波情報及びブルートゥース情報間の変換を行うための情報変換装置は、ユーザーのハードウェア変換に伴う煩雑さを低減できる。
【０００７】
本考案による音波情報及びブルートゥース情報間の変換を行うための情報変換装置は、情報変換装置の外部の要求端末から受信したコマンドに従って操作を行う。この情報変換装置は、記憶ユニットと要求処理ユニットを備える。記憶ユニットは、第１の無線伝送情報を記憶し、この第１の無線伝送情報のフォーマットが、第１の無線伝送プロトコルが要求するフォーマットに適合している。要求処理ユニットは、記憶ユニットに電気的に接続され、要求端末から受信したコマンドに従って記憶ユニットから第１の無線伝送情報を読み出し、読み出した第１の無線伝送情報を第２の無線伝送情報に変換して、第２の無線伝送情報を要求端末に出力する。第２の無線伝送情報のフォーマットが、第２の無線伝送プロトコルが要求するフォーマットに適合しており、第１の無線伝送プロトコルと第２の無線伝送プロトコルそれぞれは、低消費電力ブルートゥース伝送プロトコル及び音波埋め込み情報伝送プロトコルのいずれか一方であり、第１の無線伝送プロトコルと第２の無線伝送プロトコルとは異なっている。
【０００８】
本考案は、低消費電力ブルートゥース伝送プロトコルと音波埋め込み情報伝送プロトコルとの間で伝送情報を要求端末のコマンドに従って変換するので、要求端末のハードウェアが変更されたときに関連する伝送情報を再作成する必要がなく、ハードウェア変更に伴う煩雑さが低減される。
【図面の簡単な説明】
【０００９】
【図１】本考案の一実施形態による音波情報及びブルートゥース情報間の変換を行うための情報変換装置の回路ブロック図である。
【図２Ａ】音波埋め込み情報伝送プロトコルのコーディングフォーマットの概略図である。
【図２Ｂ】低消費電力ブルートゥース伝送プロトコルのコーディングフォーマットの概略図である。
【図３】本考案の一実施形態による音波情報及びブルートゥース情報間の変換を行うための情報変換装置の使用形態を示す概略図である。
【考案を実施するための形態】
【００１０】
図１を参照されたい。図１は、本考案の一実施形態による音波情報及びブルートゥース情報間の変換を行うための情報変換装置の回路ブロック図である。本実施形態においては、情報変換装置１０は、記憶ユニット１００と要求処理ユニット１１０を備える。記憶ユニット１００は、１つ以上の無線伝送情報を記憶し、要求処理ユニット１１０は、記憶ユニット１００に電気的に接続され、受信したコマンドに従って記憶ユニット１００から対応する無線伝送情報を読み出し、読み出した無線伝送情報のフォーマットを他の無線伝送プロトコルの要求に適合するフォーマットに変換する。
【００１１】
例えば、最初に、ユーザーが要求処理ユニット１１０へコマンドを送信し、伝送すべきデータを低消費電力ブルートゥース（Ｂｌｕｅｔｏｏｔｈ  Ｌｏｗ  Ｅｎｅｒｇｙ，ＢＬＥ）伝送プロトコルに適合する無線伝送情報（以下、第１の無線伝送情報という）として作成する。この最初に作成された第１の無線伝送情報は、記憶ユニット１００に記憶され、このときにユーザーにも伝送されて使用可能となる。第１の無線伝送情報を取得することによって、ユーザーが低消費電力ブルートゥース伝送プロトコルにより第１の無線伝送情報を情報受取者に提供する。ユーザーが使用するハードウェアデバイスを変更したい場合、例えば、従前に使用していた低消費電力ブルートゥース伝送プロトコルに基づいて設計されたハードウェアデバイスから、音波埋め込み情報伝送プロトコルに基づいて設計されたハードウェアデバイスに変更するときに、対応するコマンドを要求処理ユニット１１０に送信することによって、記憶ユニット１００から第１の無線伝送情報を読み取り、低消費電力ブルートゥース伝送プロトコルに対応する第１の無線伝送情報を音波埋め込み情報伝送プロトコルに適合する無線伝送情報（以下、第２の無線伝送情報という）に変換するように要求処理ユニット１１０を制御する。
【００１２】
上述したのは、低消費電力ブルートゥース伝送プロトコルに適合する無線伝送情報を音波埋め込み情報伝送プロトコルに適合する無線伝送情報に変換するものであるが、ここに提供された技術は、音波埋め込み情報伝送プロトコルに適合する無線伝送情報を低消費電力ブルートゥース伝送プロトコルに適合する無線伝送情報に変換するものに改変し得ることは、理解されよう。
【００１３】
次に、図２Ａ及び図２Ｂを参照されたい。図２Ａは、ＳｏｎａｒＣａｓｔという音波埋め込み情報伝送プロトコルのコーディングフォーマットの概略図であり、図２Ｂは、ｉＢｅａｃｏｎ（登録商標）という低消費電力ブルートゥース伝送プロトコルのコーディングフォーマットの概略図である。ＳｏｎａｒＣａｓｔで使用される音声ファイルにおいては、ヘッダー（Ｈｅａｄｅｒ）２００及びコンテンツ部分（Ｃｏｎｔｅｎｔ）２１０を含まれ、ｉＢｅａｃｏｎで使用される情報ファイルにおいては、ブルートゥース識別コード（ＵＵＩＤ）２２０、メインデータ部分２３０及びサブデータ部分２４０が含まれる。変換に際して、ＳｏｎａｒＣａｓｔ音声ファイルのヘッダー２００及びｉＢｅａｃｏｎのブルートゥース識別コード２２０が各伝送プロトコルの規定によって適切に設定され、伝送すべきデータはＳｏｎａｒＣａｓｔ音声ファイルのコンテンツ部分２１０、又はｉＢｅａｃｏｎ情報ファイルのメインデータ部分２３０及びサブデータ部分２４０中に含められる。即ち、図１で示す情報変換装置１０は、ＳｏｎａｒＣａｓｔにより伝送される無線伝送情報をｉＢｅａｃｏｎにより伝送される無線伝送情報に変換するときには、ＳｏｎａｒＣａｓｔ音声ファイルのコンテンツ部分２１０をｉＢｅａｃｏｎ情報ファイルのメインデータ部分２３０及びサブデータ部分２４０に適切に対応させなければならず、一方、ｉＢｅａｃｏｎにより伝送される無線伝送情報をＳｏｎａｒＣａｓｔにより伝送される無線伝送情報に変換するときには、ｉＢｅａｃｏｎ情報ファイルのメインデータ部分２３０及びサブデータ部分２４０をＳｏｎａｒＣａｓｔ音声ファイルのコンテンツ部分２１０に適切に対応させなければならない。
【００１４】
次に、図３を参照されたい。図３は、本考案の一実施形態による音波情報及びブルートゥース情報間の変換を行うための情報変換装置の使用形態を示す概略図である。本実施例においては、情報変換装置３０は記憶ユニット３００及び要求処理ユニット３１０を備え、記憶ユニット３００は、アカウントデータベース３０２及び顧客ファイルデータベース３０４を備える。アカウントデータベース３０２には、異なる顧客にそれぞれ対応するアカウントやパスワードなどのデータが記憶されており、顧客ファイルデータベース３０４には各顧客の無線伝送データが記憶されている。
【００１５】
本実施形態においては、ユーザーは、要求端末３３０により、情報変換装置３０が対応する操作を行うようにコマンドを送信する。要求端末３３０により送信されたコマンドが、ネットワーク３５０を介して情報変換装置３０の要求処理ユニット３１０に受信される。要求処理ユニット３１０は、コマンドを受信した後、アカウントデータベース３０２中でコマンドに提供されたアカウントやパスワードなどの情報が正しいものであるか否かを確認する。アカウントやパスワードなどの情報が正しいものでない場合、要求処理ユニット３１０はコマンドに要求された操作を実行せず、コマンドに提供されたアカウントやパスワードなどの情報が正しいものである場合、要求処理ユニット３１０は受信されたコマンドに従って、顧客ファイルデータベース３０４から対応する無線伝送情報を取得して、コマンドに要求された操作を実行する。
【００１６】
要求処理ユニット３１０は、コマンドに要求された操作を実行した後、操作による結果を要求端末３３０にネットワーク３５０を介して返送する。詳細には、要求端末３３０が新たな無線伝送情報の作成を要求する場合には、要求処理ユニット３１０は、アカウントやパスワードなどの情報が正しいものであると確認した後、コマンドに提供されたデータに基づいて対応する無線伝送情報を作成し、作成された無線伝送情報を顧客ファイルデータベース３０４に保存するとともにネットワーク３５０を介して要求端末３３０に返送し、要求端末３３０が予め作成された無線伝送情報の取得を要求する場合には、要求処理ユニット３１０は、アカウントやパスワードなどの情報が正しいものであると確認した後、顧客ファイルデータベース３０４に記憶された対応する無線伝送情報を要求端末３３０に直接提供し、要求端末３３０が従前に存在する無線伝送情報に対して伝送プロトコルの変換を要求する場合には、要求処理ユニット３１０は、上述した方式により、顧客ファイルデータベース３０４から以前に保存した、第１の無線伝送プロトコルに適合する無線伝送情報を取得し、第２の無線伝送プロトコルに適合する無線伝送情報に変換し、変換した無線伝送情報を顧客ファイルデータベース３０４に保存するとともにネットワーク３５０を介して要求端末３３０に提供する。
【００１７】
要求端末３３０は、必要な無線伝送情報を得た後、対応するハードウェアデバイスを用いて無線伝送情報を外部にプッシュすることができる。例えば、要求端末３３０がＳｏｎａｒＣａｓｔ伝送に適合する音声ファイルを取得した後、取得した音声ファイルをスピーカー３６０によりプッシュすることができ、一方、要求端末３３０が取得したのがｉＢｅａｃｏｎ伝送に適合する情報ファイルである場合、取得した情報ファイルをブルートゥース伝送装置３７０によりプッシュすることができる。
【００１８】
スピーカー３６０又はブルートゥース伝送装置３７０が無線伝送情報をプッシュすると、近傍の携帯型デバイス３８０がこれらの無線伝送情報を受信することができる。携帯型デバイス３８０は、無線伝送情報を受信すると、受信した無線伝送情報を内蔵されたアプリケーションプログラム（ＡＰＰ）により解析し、解析して得たデータに基づいて対応する動作を行う。このような無線伝送情報に大量のデータを含めることは一般的に適切ではない。したがって、無線伝送情報中に１つの番号を入れ、内蔵されたアプリケーションプログラムの中にデータベース（例えば、携帯型デバイスの内部又は外部に存在するコンテンツデータやウェブページデータに関するデータベースなど）を作成することにより、アプリケーションプログラムが無線伝送情報中の番号に基づいてそのデータベースから対応するコンテンツを見つけて表示又は対応する動作を行うか、又は、無線伝送情報中にウェブアドレスを含めることにより、アプリケーションプログラムが得られたウェブアドレスに基づいて表示又は対応する動作を行う。この目的を達成するために、更に記憶ユニット３００には、供給用データのセット（例えば、アプリケーションプログラムの中に作成されたデータベースのコンテンツデータ、又はウェブページデータなど）を記憶させ、かつ要求処理ユニット３１０は、無線伝送情報を生成するが、アプリケーションプログラムがその生成した無線伝送情報を用いると、アプリケーションプログラムが、記憶ユニット３００に記憶された供給用データをその操作の対象とする（すなわち、供給用データを利用して動作する）ことが可能となるような無線伝送情報を生成するように構成してもよい。
【００１９】
さらに、アプリケーションプログラムとの組み合わせにより、いくつかの特別な使用方式を作り出すことができる。例えば、無線伝送情報中に特定の制限要件を加えることによって、これらの無線伝送情報が特定の環境でしか使用できないようにできる。例えば、無線伝送情報中に使用期限又は製造者識別情報などを加え、アプリケーションプログラムの判定機能によって、これらの無線伝送情報が特定の期間内でしか使用できないか、又は特定の製造者により開発されたアプリケーションプログラムでしか読み取ることができないようにできる。
【００２０】
上記技術により、本考案は、単一のインターフェイスを介して異なる無線伝送プロトコルに適合する無線伝送情報を作成できる。ユーザーがハードウェアを変更するときに伝送情報の再作成を行う必要がないので、ハードウェアの変換に伴う煩雑さを低減することができる。
【符号の説明】
【００２１】
１０、３０  情報変換装置
１００、３００  記憶ユニット
１１０、３１０  要求処理ユニット
２００  ヘッダー
２１０  コンテンツ部分
２２０  ブルートゥース識別コード
２３０  メインデータ部分
２４０  サブデータ部分
３０２  アカウントデータベース
３０４  顧客ファイルデータベース
３３０  要求端末
３５０  ネットワーク
３６０  スピーカー
３７０  ブルートゥース伝送装置
３８０  携帯型デバイス
【図１】
0003198599.tif 000003
【図２Ａ】
0003198599.tif 000004
【図２Ｂ】
0003198599.tif 000005
【図３】
0003198599.tif 000006